(57)【特許請求の範囲】
【請求項１】
ユーザまたは端末に関する秘密情報を管理する秘密情報管理部と、
前記ユーザがコンテンツを選択するために検索可能な情報が記載されている検索可能領域と、事業者固有の購入処理手順が記載されている事業者固有領域と、事業者を特定するための情報が記載されている被認証情報とを含むメタデータを、メタデータサーバからネットワークまたは放送網を通じて、取得するメタデータ処理部と、
前記事業者の認証情報を保持する認証情報保持部と、
前記ユーザによって選択された前記メタデータに含まれる被認証情報を、前記事業者の認証情報によって復号し、復号された被認証情報と前記メタデータのダイジェスト値とを比較することにより、前記メタデータが事業者の発行したものか否かの認証処理を行う認証処理部と、
前記メタデータの認証が成功した場合に、前記事業者固有領域に記載の前記事業者固有の購入処理手順に基づいて、前記秘密情報管理部から秘密情報を読み出して前記秘密情報と前記ユーザによって選択されたメタデータに含まれる前記検索可能領域に記載の情報とを用いて購入処理サーバに対してコンテンツの購入処理を要求する購入処理部と、
を備えるコンテンツ購入処理端末。
【請求項２】
前記メタデータ処理部は、前記選択したメタデータにおける前記検索可能領域に記載の情報及び前記事業者固有領域に記載の情報に基づき、購入処理部に対してコンテンツの購入処理要求を行う請求項１に記載のコンテンツ購入処理端末。
【請求項３】
請求項１に記載のコンテンツ購入処理端末であって、前記メタデータは、前記検索可能領域と、事業者固有領域と、被認証情報と、事業者の認証情報とを含み、さらに、
前記認証情報を前記認証情報保持部に登録する認証情報登録部を備え、
前記認証が成功した場合に、前記認証情報登録部は、認証されたメタデータに含まれる前記認証情報を登録するコンテンツ購入処理端末。
【請求項４】
請求項３に記載のコンテンツ購入処理端末であって、
前記認証情報保持部は、前記事業者の認証情報を階層的に保持し、
前記認証処理部による前記メタデータに対する認証は、前記認証情報保持部で保持されている前記事業者の上位の認証情報を用いて認証し、
前記認証が成功した場合に、前記認証情報登録部は、前記認証情報保持部に保持されている事業者の認証情報を前記認証されたメタデータに含まれる被認証情報に更新するコンテンツ購入処理端末。
【請求項５】
請求項１に記載のコンテンツ購入処理端末であって、さらに
前記購入処理部からの要求により購入処理されたコンテンツの利用権を取得する権利処理部を備えるコンテンツ購入処理端末。
【請求項６】
請求項５に記載のコンテンツ購入処理端末であって、さらに
前記購入処理されたコンテンツを取得し、前記利用権を用いて前記コンテンツを利用するコンテンツ処理部を備えるコンテンツ購入処理端末。
【請求項７】
請求項５に記載のコンテンツ購入処理端末であって、
前記利用権は、コンテンツの復号鍵、コンテンツの再生可能な期間、及び回数の少なくともいずれかを含むコンテンツ購入処理端末。
【請求項８】
ユーザまたは端末に関する秘密情報を管理する秘密情報管理部と、
前記ユーザがメタデータを選択するために検索可能な情報が記載されている検索可能領域と、事業者固有の購入処理手順が記載されているアプリケーションプログラムの参照先を記載する事業者固有領域と、事業者を特定するための情報が記載されている被認証情報とを含むメタデータを、メタデータサーバからネットワークまたは放送網を通じて、取得するメタデータ処理部と、
前記事業者の認証情報を保持する認証情報保持部と、
前記ユーザによって選択された前記メタデータに含まれる被認証情報を、前記事業者の認証情報によって復号し、復号された被認証情報と前記メタデータのダイジェスト値とを比較することにより、前記メタデータが事業者の発行したものか否かの認証処理を行う認証処理部と、
前記メタデータの認証が成功した場合に、前記メタデータの事業者固有領域に記載のアプリケーションプログラムの参照先から取得する前記アプリケーションプログラムに記載された購入処理手順に基づいて、前記秘密情報管理部から秘密情報を読み出して前記秘密情報と前記ユーザによって選択されたメタデータに含まれる前記検索可能領域に記載の情報とを用いて購入処理サーバに対してコンテンツの購入処理を要求するメタデータ処理部と、
を備えるコンテンツ購入処理端末。
【請求項９】
秘密情報管理部が、ユーザまたは端末に関する秘密情報を管理し、
メタデータ処理部が、前記ユーザがコンテンツを選択するために検索可能な情報が記載されている検索可能領域と、事業者固有の購入処理手順が記載されている事業者固有領域と、事業者を特定するための情報が記載されている被認証情報とを含むメタデータを、メタデータサーバからネットワークまたは放送網を通じて取得し、
認証処理部が、前記ユーザによって選択された前記メタデータに含まれる被認証情報を、予め保持された前記事業者の認証情報によって復号し、復号された被認証情報と前記メタデータのダイジェスト値とを比較することにより、前記メタデータが事業者の発行したものか否かの認証処理を行い、
購入処理部が、前記メタデータの認証が成功した場合に、前記事業者固有領域に記載の前記事業者固有の購入処理手順に基づいて、前記秘密情報管理部から秘密情報を読み出して前記秘密情報と前記ユーザによって選択されたメタデータに含まれる前記検索可能領域に記載の情報とを用いて購入処理サーバに対してコンテンツの購入処理を要求する、コンテンツ購入処理方法。
【発明の詳細な説明】
【技術分野】
【０００１】
本発明は、コンテンツを購入処理するコンテンツ購入処理端末とその方法に関する。
【背景技術】
【０００２】
近年、TV Anytime Forum等により、デジタルコンテンツの属性情報であるメタデータが標準化されつつある。コンテンツやサービスの提供者は、コンテンツやサービスに対応するメタデータを作成し、サーバ上で提供、もしくは端末に配信することが可能である。ユーザは、タイトルや概要などの情報を元にメタデータを検索することで、所望のコンテンツを見つけ出して利用することが可能である。このように、メタデータを利用してコンテンツへのアクセスを行う従来技術としては、例えば特許文献１に示されたものがある。
【０００３】
従来のコンテンツ販売形態においては、コンテンツ販売事業者からの商品紹介情報をWebサイト等で閲覧することにより商品購入決定を行うと同時に、ダウンロードもしくはストリーミングにてコンテンツを利用するのが一般的である。ユーザが所望のコンテンツを購入するためには、検索サイト等でコンテンツのタイトルや概要などの情報をベースとしてキーワードサーチを行い、多数のサーチ結果から所望のコンテンツを販売している各サイトにアクセスしてさらに詳しい価格情報等から購入意思決定を行ってから購入処理を行っており、所望のコンテンツを購入するまでの対話処理が多かった。このような対話処理を減らすために、上記特許文献１では、端末上でメタデータを利用して検索を行い、内容等の情報をユーザが閲覧・比較した上で、所望のメタデータを選択して、メタデータを元にコンテンツ販売サイトにアクセスする仕組みを開示している。
【先行技術文献】
【特許文献】
【０００４】
【特許文献１】特開２００４−３０３０１号公報
【発明の概要】
【発明が解決しようとする課題】
【０００５】
しかしながら、上記特許文献１では、コンテンツ販売サイトにアクセスして所望のコンテンツを購入するには、アクセスするコンテンツ販売サイトのプロバイダにユーザのアカウントが必要である。つまり、アカウントが登録されていなければ、新たにアカウントを申請して、与信／確認処理を行わないとコンテンツが購入できない。コンテンツを購入しようとするユーザ側は、この煩わしい対話処理のためにコンテンツ購入を断念する場合が多く、コンテンツ販売事業者側は、せっかくの商機を失ってしまうという問題がある。
【０００６】
本発明は、このような問題に着目し、コンテンツ販売事業者とコンテンツを購入しようとするユーザとの間で煩わしい対話処理をしなくてもコンテンツの購入処理を円滑に行うことができるコンテンツ購入処理端末とその方法、及びプログラムを提供することを目的とする。
【課題を解決するための手段】
【０００７】
本発明は、ユーザまたは端末に関する秘密情報を管理する秘密情報管理部と、前記ユーザがコンテンツを選択するために検索可能な情報が記載されている検索可能領域と、事業者固有の購入処理手順が記載されている事業者固有領域と、業者を特定するための情報が記載されている被認証情報とを含むメタデータを、メタデータサーバからネットワークまたは放送網を通じて、取得するメタデータ処理部と、前記事業者の認証情報を保持する認証情報保持部と、前記ユーザによって選択された前記メタデータに含まれる被認証情報を、前記事業者の認証情報によって復号し、復号された被認証情報と前記メタデータのダイジェスト値とを比較することにより、前記メタデータが事業者の発行したものか否かの認証処理を行う認証処理部と、前記メタデータの認証が成功した場合に、前記事業者固有領域に記載の前記事業者固有の購入処理手順に基づいて、前記秘密情報管理部から秘密情報を読み出して前記秘密情報と前記ユーザによって選択されたメタデータに含まれる前記検索可能領域に記載の情報とを用いて購入処理サーバに対してコンテンツの購入処理を要求する購入処理部と、を備えるコンテンツ購入処理端末である。
【発明の効果】
【０００８】
本発明によれば、ユーザが選択したメタデータが信頼できるかどうかについての認証を行い、メタデータの認証ができた場合に限り、ユーザや端末の固有情報を示す秘密情報を読み出し、この秘密情報を用いてコンテンツの購入処理を要求している。従って、メタデータを選択した後は、自動的にコンテンツの購入処理を行い、コンテンツを取得することができる。これにより、コンテンツ販売事業者とコンテンツを購入しようとするユーザとの間で煩わしい対話処理をしなくてもコンテンツの購入処理を円滑に行うことができる。
【図面の簡単な説明】
【０００９】
【図１】本発明のコンテンツ購入処理端末を使用するシステムの構成例を示す図
【図２】コンテンツ購入処理端末の内部構成例、及び各種サーバとの関係を示す図
【図３】コンテンツ購入処理の手順を示すフロー図
【図４】検索要求画面の一例を示す図
【図５】階層的に管理されるメタデータを示す図
【図６】販売対象を示すメタデータの構成例を示す図
【図７】価格情報のスキーマ（データ構造）例を示す図
【図８】価格情報のインスタンス（実際にデータを格納した形）例を示す図
【図９】検索結果画面の例を示す図
【図１０】購入処理手順のスキーマ（データ構造）例を示す図
【図１１】購入処理手順のインスタンス（実際にデータを格納した形）例を示す図
【図１２】秘密情報管理部が管理する秘密情報の構成例を示す図
【図１３】認証情報保持部に保持される認証情報を更新する手順を示すフロー図
【図１４】認証情報保持部が保持する事業者毎の情報を示す図
【図１５】認証情報リストの構成例を示す図
【図１６】認証情報保持部が保持する事業者毎の認証情報の関係を示す図
【図１７】事業者固有領域に購入処理手順を示すメタデータの構成例を示す図
【発明を実施するための形態】
【００１０】
図面を用いて本発明を実施するための形態を説明する。なお、本発明は、以下の実施の形態に何ら限定されるものではなく、本発明の要旨を逸脱しない範囲であれば、適宜に変更でき、実施できるものである。
【００１１】
（実施の形態１）
以下、本発明の第１の実施の形態について説明する。図１は、コンテンツ購入処理端末を使用するコンテンツ流通システムの構成例を示している。システムは、インターネットや携帯電話網等により代表されるネットワーク１０１を介して相互に接続された、各種サーバとコンテンツ購入処理端末１０２より構成される。各種サーバには、コンテンツサーバ１０３、メタデータサーバ１０４、購入処理サーバ１０５、決済処理サーバ１０６、及び権利処理サーバ１０７等がある。
【００１２】
コンテンツ購入処理端末１０２は、例えばデジタルテレビジョン受像機やデジタルテレビジョン録画機、デジタルテレビジョン受信機能を備えた携帯端末やパーソナルコンピュータ等であり、一般家庭や職場等に配置されている。コンテンツ購入処理端末１０２は、放送局１０８が放送する電波を受け付け、番組を視聴する機能を有している。また、コンテンツ購入処理端末１０２は、ネットワーク１０１に接続して各種サーバと通信する機能を有する。
【００１３】
コンテンツサーバ１０３は、映像や音声、各種データからなるコンテンツを保持し、ネットワーク１０１を通じてコンテンツ購入処理端末１０２に提供する機能を有する。また、コンテンツサーバ１０３は、保持するコンテンツを放送局１０８に提供し、放送局１０８から放送波に多重して配信するようにしても良い。本システムにおけるコンテンツは、必要に応じて暗号化される。
【００１４】
メタデータサーバ１０４は、コンテンツサーバ１０３が保持するコンテンツに対応したメタデータを保持し、ネットワーク１０１を通じてコンテンツ購入処理端末１０２に提供する機能を有する。また、メタデータサーバ１０４は、保持するメタデータを放送局１０８に提供し、放送局１０８から放送波に多重して配信するようにしても良い。
【００１５】
購入処理サーバ１０５は、コンテンツサーバ１０３が保持するコンテンツの識別子及び価格情報を関連付けて保持し、コンテンツ購入処理端末１０２からの購入処理の要求を受け、決済処理サーバ１０６に対して決済処理を要求する機能を有する。また、購入処理サーバ１０５は、決済処理サーバ１０６から決済結果の通知を受け、コンテンツ購入処理端末１０２に対して購入処理の完了を通知する。また、購入処理サーバ１０５は、権利処理サーバ１０７に対して、購入されたコンテンツに対応する利用権の発行を要求する機能を有する。購入処理サーバ１０５は、例えばコンテンツの販売事業者毎に運用される。
【００１６】
決済処理サーバ１０６は、例えばクレジットカード会社のオンラインシステム等であり、購入処理サーバ１０５からの決済要求に対して決済処理を行い、その結果を購入処理サーバ１０５に通知する機能を有する。
【００１７】
権利処理サーバ１０７は、コンテンツに対応する利用権を保持している。利用権は、コンテンツの復号鍵、及びコンテンツの再生可能な期間や回数などの利用条件等である。権利処理サーバ１０７は、購入処理サーバ１０５から利用権の発行要求があると、指定されたコンテンツ購入処理端末１０２に対しての利用権を発行して保持する機能を有する。
【００１８】
なお、各種サーバ１０３乃至１０７は、論理的な機能として定義されるものであり、各種サーバは全て同一の装置上、あるいは組み合わせた装置上、あるいはそれぞれ異なる装置上で構成することができる。
【００１９】
図２は、コンテンツ購入処理端末１０２の内部構成例、及び各種サーバとの論理的な関係を示している。ユーザインタフェース部２０１は、ユーザとの間で入出力の処理を行う手段であり、ユーザに対する各種情報やコンテンツの提示と、ユーザからの各種操作入力の受け付けを行う機能を有する。ユーザに対する各種情報は、グラフィックスユーザインタフェース等により分かりやすく提示され、必要に応じてコンテンツの映像信号に多重されて、テレビジョン画面等に表示される。ユーザからの各種操作入力の受け付けは、具体的にはリモートコントローラもしくはコンテンツ購入処理端末１０２本体の操作パネル、もしくはネットワークを通じた他の機器からの操作等によって行われる。
【００２０】
メタデータ処理部２０２は、自動的あるいはユーザインタフェース部２０１からの処理要求によって、ネットワーク１０１または放送網を通じて、メタデータサーバ１０４から必要な範囲のメタデータを取得して、メタデータ保持部２０３に格納する機能を有する。また、メタデータ処理部２０２は、ユーザインタフェース部２０１からの要求に応じて、メタデータ保持部２０３に保持されたメタデータを読み出し、メタデータに記載された情報に従って関連する各処理部へそれぞれの処理を要求する機能を有する。
【００２１】
メタデータ保持部２０３は、自動的あるいはユーザインタフェース部２０１からの処理要求によって、ネットワーク１０１または放送網を通じてメタデータ処理部２０２が取得したメタデータサーバ１０４からのメタデータを格納する。また、メタデータ保持部２０３に格納されているメタデータは、ユーザインタフェース部２０１からの要求に応じてメタデータ処理部２０２により読み出される。また、メタデータ保持部２０３に保持されるメタデータは階層的に管理されている。
【００２２】
ここで、図５を用いてメタデータ保持部２０３に格納されるメタデータの構成例を説明する。TV Anytime Forumで作成され、ETSI TS102 822 Part3として発行されたメタデータの仕様に基づき、代表的なメタデータの構成を示している。メタデータは、階層的に管理されており、Program Information ５０１は、一つのコンテンツに対応している。Group Information ５０２は、一つまたは複数のメタデータであるProgram Information５０１を取りまとめており、例えば複数の映画コンテンツをまとめて「最新映画パッケージ」として表現することができる。Program Location ５０３は、一つのコンテンツの物理的な提供形態に対応しており、例えば同じコンテンツをストリーミングとダウンロードの二つの形態で提供する場合に、それらを区別して表現することができる。
【００２３】
つづいて、図６を用いてProgram Information５０１を例に、販売対象を示すメタデータの構成例を説明する。メタデータは、検索可能領域６０１、事業者固有領域６０６及び被認証情報６０８に分けられる。検索可能領域６０１には、ユーザがコンテンツを選択するために、検索、閲覧可能な以下の情報が記載される。program Id ６０２は、Program Information５０１が表現しているコンテンツの識別子を示す。Title ６０３は、Program Information５０１が表現しているコンテンツの名称を示す。Synopsis ６０４は、Program Information５０１が表現しているコンテンツの要約を示す。Price List ６０５は、Program Information５０１が表現しているコンテンツの価格に関する情報を示す。また、事業者固有領域６０６には、ユーザがコンテンツを選択した場合に購入処理を行う情報が記載される。購入処理サーバURL６０７は、コンテンツを購入する際に接続する購入処理サーバ１０５のインターネットアドレスを示す。なお、事業者固有領域６０６は、必要に応じて暗号化することも可能である。被認証情報６０８は、コンテンツを販売または管理する事業者を特定するための事業者の認証情報を記載している。つまり、特定の事業者から発行されていることを証明するための情報が記載される。これを実現する手段としては、例えばデジタル署名を付与し、より詳細には、例えばW3C(World Wide Web Consortium)で規定されるXML Signature 等を用いる。また、事業者の認証情報には、事業者の識別子やバージョン、公開鍵等の情報を含む。
【００２４】
次に、Price List ６０５の詳細を説明するため、図７にスキーマ（データ構造）の例を、図８にインスタンス（実際にデータを格納した形）の例を示す。Price Type７０１は、価格情報のタイプを示し、例えば標準価格であるか、ディスカウント価格であるかを示す。Price ７０２は、価格を示す。Currency ７０３は、価格情報に適用される通貨単位を示す。Action ７０４は、価格情報で購入することにより、コンテンツに対して可能な操作を示す。Action Type ７０５は、Action ７０４における操作の種類を示す。例えば、コンテンツの買い切り視聴（永久利用可能）や回数限定視聴（３回視聴可能）などである。Unit ７０６は、Quantity Range ７０７の数値に対する単位を示す。例えば、回数限定視聴で視聴がN回できる場合は、「times」が指定される。Quantity Range ７０７は、Action ７０４における操作に関する数値を示す。例えば、回数限定視聴で視聴が３回できる場合は、「１〜３」が指定される。このように構造化されたPrice List ６０５を用いることで、価格の条件や、割引の有無、通貨単位、価格が適用される期間、利用可能な回数や期間等の詳細な条件に基づいて、コンテンツの情報を検索／表示することが可能になる。
【００２５】
なお、検索可能領域６０１に含まれる情報や事業者固有領域６０６に含まれる情報は、Group Information ５０２やProgram Location ５０３に適用することも可能である。Group Information５０２に適用する場合は、パッケージ販売であることを示し、ユーザはこのパッケージを購入することで、このGroup Information５０２に属する複数のコンテンツをまとめて購入可能となる。Program Location５０３に適用する場合は、コンテンツの取得方法に応じた販売を行うことを示しており、ユーザは例えばあるコンテンツの、ダウンロード版とストリーミング版を選択して購入することができる。
【００２６】
購入結果保持部２０４は、購入したコンテンツの情報を保持するものであり、コンテンツの識別子、タイトル、及び金額等の情報を保持する。メタデータ処理部２０２が購入処理部２０５からコンテンツ購入処理の完了が通知されると、当該コンテンツの上記情報を登録する。
【００２７】
購入処理部２０５は、メタデータ処理部２０２からの要求に応じて、ネットワーク１０１を通じて購入処理サーバ１０５に接続し、ユーザが選択したメタデータの認証が成功した場合に秘密情報管理部２１１からの秘密情報を用いてコンテンツの購入処理を購入処理サーバ１０５へ要求する機能を有する。
【００２８】
権利処理部２０６は、メタデータ処理部２０２からの要求に応じて、ネットワーク１０１を通じて権利処理サーバ１０７に接続し、購入処理部２０５からの要求により購入処理されたコンテンツの利用権を権利処理サーバ１０７から取得する機能を有する。
【００２９】
コンテンツ処理部２０７は、メタデータ処理部２０２からの要求に応じて、ネットワーク１０１を通じてコンテンツサーバ１０３に接続し、購入処理されたコンテンツをコンテンツサーバ１０３から取得し、権利処理部２０６で取得する利用権を用いてコンテンツを利用するものである。コンテンツ処理部２０７で取得するコンテンツは、暗号化されているので、利用権に含まれる復号鍵を用いることにより、暗号化が解除され、コンテンツが利用できるようになる。コンテンツは、ユーザインタフェース部２０１を介してユーザに提示される。
【００３０】
認証情報保持部２０８は、メタデータに示されるコンテンツを販売または管理する事業者を特定するための事業者の認証情報を保持する。事業者の認証情報には、事業者の識別子やバージョン、公開鍵等の情報を含む。また、認証情報保持部２０８で保持される事業者の認証情報は階層的に管理されており、上位の事業者の認証情報は下位の事業者の認証情報を関連付けて管理している。なお、認証の対象となる事業者は、必ずしもコンテンツを販売または管理する事業者そのものでなくても良く、例えば当該事業者が利用する設備を運営するプラットフォーム事業者や、当該事業者に関わるメタデータの制作・配信を実施するメタデータ事業者などでも良い。
【００３１】
図１６を用いて、認証情報保持部２０８が保持する事業者毎の認証情報を説明する。プラットフォーム事業者認証情報１６０１は、サービス全体を束ねるプラットフォーム事業者に関して、同事業者の識別子やバージョン、公開鍵等の情報を含む。販売事業者認証情報１６０２〜１６０４は、プラットフォーム事業者が管理する下位の販売事業者に関して、各事業者の識別子やバージョン、公開鍵等を含む。初期状態では、認証情報保持部２０８には、少なくともプラットフォーム事業者認証情報１６０１が登録されている。
【００３２】
以下、メタデータサーバ１０４から配布されるメタデータに含まれる事業者の認証情報を認証情報保持部２０８に登録・更新・削除する手順について説明する。図１４を用いて、メタデータサーバ１０４から配布されるメタデータに含まれる、事業者毎の認証情報を説明する。プラットフォーム事業者情報１４０１は、サービス全体を束ねるプラットフォーム事業者に関する情報を記載する。プラットフォーム事業者情報１４０１は、例えばGroup Informationから構成される。プラットフォーム事業者情報１４０１には、プラットフォーム事業者自身の認証情報１４０２を記載するとともに、当該プラットフォーム事業者情報を認証する際に必要なプラットフォーム被認証情報１４０３を記載する。プラットフォーム事業者認証情報１４０２は、当該事業者の識別子やバージョン、公開鍵等の認証情報である。プラットフォーム事業者被認証情報１４０３は、プラットフォーム事業者を特定するための認証情報であり、例えばデジタル署名を付与し、より詳細には、例えばW3C(World Wide Web Consortium)で規定されるXML Signature 等を用いる。認証処理部２０９は、プラットフォーム事業者被認証情報１４０３を用いて認証情報保持部２０８で保持している認証情報と認証を行う。認証が成功した場合にプラットフォーム事業者認証情報１４０２を認証情報保持部２０８に登録することにより、認証情報保持部２０８が保持する、プラットフォーム事業者自身の認証情報１６０１が更新できる。
【００３３】
販売事業者情報１４０４は、当該プラットフォーム事業者との契約下でサービスを運用する、個々の販売事業者に関する情報を記載する。販売事業者情報１４０４は、例えばGroup Informationから構成され、上位のプラットフォーム事業者の識別子への参照を持つことによって、階層構造を形成する。販売事業者情報１４０４には、個々の販売事業者の認証情報１４０５を記載するとともに、当該販売事業者情報を認証する際に必要なプラットフォーム事業者被認証情報１４０６を記載する。販売事業者の認証情報１４０５は、当該事業者の識別子やバージョン、公開鍵等の認証情報である。プラットフォーム事業者被認証情報１４０６は、プラットフォーム事業者を特定するための認証情報であり、例えばデジタル署名を付与し、より詳細には、例えばW3C(World Wide Web Consortium)で規定されるXML Signature 等を用いる。認証処理部２０９は、プラットフォーム事業者被認証情報１４０６を用いて認証情報保持部２０８で保持している認証情報と認証を行う。認証が成功した場合に販売事業者認証情報１４０５を認証情報保持部２０８に登録することにより、認証情報保持部２０８へ販売事業者の認証情報１６０２が登録、あるいは更新できる。
【００３４】
販売対象情報１４０７乃至１４０９は、販売事業者１４０４が販売するそれぞれのコンテンツを示し、販売事業者１４０４の下位に配置されている。販売対象情報１４０７乃至１４０９は、販売対象の形態に従って、Group Information, Program Information, Program Location等より構成される。販売対象情報１４０７は、図６に示すメタデータと同様、検索可能領域６０１、事業者固有領域６０６及び被認証情報６０８を持つ。
【００３５】
メタデータサーバ１０４から配布されるメタデータに記述され、また認証情報保持部２０８に保持される、プラットフォーム事業者認証情報１４０２及び販売事業者認証情報１４０５の内容例を示す。事業者識別子１５０１は、プラットフォーム事業者あるいは販売事業者の識別子を図１５に示す。バージョン１５０２は、同一の事業者の認証情報が更新されたか否かの判断に用いる。認証情報本体１５０３は、例えば事業者の公開鍵等を示す。
【００３６】
次に、図１３を用いて、販売事業者１４０４の登録や更新、あるいは削除に応じて行う販売事業者認証情報１４０５の更新処理を説明する。ステップ１３０１では、メタデータ処理部２０２において、定期的あるいは任意のタイミングで、メタデータサーバ１０４よりメタデータを受け取り、メタデータ保持部２０３に格納されているメタデータを更新する。ステップ１３０２では、メタデータ処理部２０２が、更新されたメタデータが販売事業者情報１４０４であるかを判定し、そうである場合はステップ１３０３に進み、そうでない場合は認証情報の更新処理は行わない（終了）。ステップ１３０３では、認証処理部２０９において、メタデータ処理部２０２からの要求によって、更新されたメタデータの販売事業者情報１４０４が、上位のプラットフォーム事業者によって保証されたものであるかどうかの認証を行う。
【００３７】
この認証は、一般的なデジタル署名検証の仕組みによって行うことが出来る。すなわち、メタデータサーバ１０４において、プラットフォーム事業者は自身の秘密鍵を用いてデジタル署名を作成し、それをプラットフォーム事業者被認証情報１４０６として販売事業者情報１４０４に付与しておく。認証処理部２０９では、認証情報保持部２０８が保持しているプラットフォーム事業者の認証情報１６０１に含まれる公開鍵により、デジタル署名されたプラットフォーム事業者被認証情報１４０６を復号し、販売事業者情報１４０４のダイジェスト値と比較することによって、この販売事業者情報１４０４がプラットフォーム事業者によって保証されたものであるかを確認する。
【００３８】
ステップ１３０４において、販売事業者情報１４０４が認証できた場合はステップ１３０５に進み、認証できない場合は認証情報の更新処理は行わない（終了）。ステップ１３０５では、メタデータ処理部２０２において、認証できた販売事業者情報１４０４中の販売事業者認証情報１４０５を認証情報登録部２１０に対して送付する。認証情報登録部２１０はその販売事業者認証情報１４０５を認証情報保持部２０８に登録する。以上のステップにより、認証情報保持部２０８における販売事業者認証情報１４０５の登録処理が終了する。
【００３９】
上記では販売事業者認証情報１４０５を新規に登録する場合について説明したが、ステップ１３０５において、すでに認証情報保持部２０８に保持している販売事業者認証情報１６０２に対して、事業者識別子１５０１が同じでバージョン１５０２が異なる新たな販売事業者認証情報１４０５を更新することもできる。また、認証情報に無効値（例えば全ての桁を16進FFで埋めた値）を指定して販売事業者認証情報１４０５を更新することにより、認証情報保持部２０８から販売事業者認証情報１４０５を削除することもできる。
【００４０】
また上記では、販売事業者認証情報１４０５の登録や更新、あるいは削除について説明したが、販売事業者情報１４０４に代えて、プラットフォーム事業者情報１４０１を用いてプラットフォーム事業者認証情報１４０２を配信した場合について説明する。認証処理部２０９では、認証情報保持部２０８が保持しているプラットフォーム事業者の認証情報１６０１に含まれる公開鍵により、デジタル署名されたプラットフォーム事業者被認証情報１４０３を復号し、プラットフォーム事業者情報１４０１のダイジェスト値と比較することによって、このプラットフォーム事業者情報１４０１がプラットフォーム事業者によって保証されたものであるかを確認する。認証処理部２０９で認証できた場合、プラットフォーム事業者情報１４０１中のプラットフォーム事業者認証情報１４０２を認証情報登録部２１０に対して送付し、認証情報登録部２１０は、そのプラットフォーム事業者認証情報１４０２を認証情報保持部２０８に登録する。これにより、認証情報保持部２０８におけるプラットフォーム事業者認証情報１４０２の更新処理が終了する。
【００４１】
ところで、プラットフォーム事業者あるいは販売事業者が被認証情報１４０３、１４０６を付与するのに用いる秘密鍵が漏洩した場合には、第三者により成りすまされる危険が生じる。このような場合には、新たな秘密鍵を用意し、この秘密鍵を用いてプラットフォーム事業者情報１４０１もしくは販売事業者情報１４０４に対して新たな被認証情報を作成して、これら情報をメタデータサーバ１０４より配布する。一方、この秘密鍵に対応する公開鍵を含む認証情報を作成し、上述した方法で認証情報保持部２０８に保持されるプラットフォーム事業者認証情報１６０１もしくは販売事業者認証情報１６０２を更新することによって、第三者による成りすましを防止することができる。認証処理部２０９は、認証情報保持部２０８が保持する認証情報を参照し、ユーザインタフェース部２０１を用いて選択されたメタデータ、あるいはメタデータ処理部２０２を介して得られるメタデータ等が信頼できるかどうかを確認する機能を有する。
【００４２】
認証情報登録部２１０は、コンテンツを販売または管理する事業者あるいは当該事業者を階層的に管理している事業者の登録や更新あるいは削除に伴って、認証情報保持部２０８で保持されている認証情報を変更する機能を有する。
【００４３】
秘密情報管理部２１１は、コンテンツ購入処理端末１０２の端末固有情報、及び端末を利用するユーザ固有情報等の秘密情報を保持する。秘密情報管理部２１１は、耐タンパメモリとして実装されるか、あるいは暗号化機能を持つなどして、その内容を容易に読み出したり、改ざんできないように構成される。
【００４４】
図１２に秘密情報管理部２１１が保持する秘密情報を示す。端末固有情報１２０１は、コンテンツ購入処理端末１０２唯一の固有情報であり、端末を識別するための端末識別子等の情報からなる。ユーザ固有情報１２０２は、コンテンツ購入処理端末１０２を利用するユーザ毎に作成され、ユーザの端末上でのユーザ識別子や、購入処理に必要な個人情報（氏名、クレジットカード番号等）からなる。なお、秘密情報管理部２１１からユーザ固有情報１２０２、及び端末固有情報１２０１を取得できるのは、ユーザが選択したメタデータの認証が成功した場合に限られる。
【００４５】
次に、上記のように構成されたコンテンツ購入処理端末１０２の動作を説明する。なお、特に図示していないが、コンテンツ購入処理端末１０２の各構成は、記憶媒体（図示しない）に記憶されているコンテンツ購入処理プログラムをコンテンツ購入処理端末１０２内のコンピュータが実行することにより、機能するものである。
【００４６】
コンテンツ購入処理端末１０２において、コンテンツ取得までの処理の流れを分けると、ユーザがメタデータを検索し、検索結果からメタデータを選択するステップと、選択されたメタデータの認証を行うステップと、認証ができた場合に秘密情報を読み出すステップと、読み出した秘密情報を購入処理サーバ１０５へ送付してコンテンツの購入処理を要求し、購入されたコンテンツの利用権を取得するステップと、購入されたコンテンツを取得するステップに分けられる。
【００４７】
以下、図３を用いてメタデータの検索からコンテンツ取得までの処理の流れを説明する。ステップ３０１では、ユーザはメタデータの検索を行う。図４はユーザに提示する検索要求画面４０２の一例である。ユーザはユーザインタフェース部２０１の一部であるリモコン４０１もしくはキーボード（図示しない）等を用いて、「タイトル」４０３、「ジャンル」４０４、「キーワード」４０５、「価格」４０６等の検索条件を単独あるいは組み合わせて入力する。入力された検索条件は、ユーザインタフェース処理部２０１からメタデータ処理部２０２に送られる。メタデータ処理部２０２は、メタデータ保持部２０３で保持されているメタデータから検索条件に一致するメタデータを抽出する。例えば、検索条件に「価格」を「1,000円以下」と設定した場合、メタデータ処理部２０２は、メタデータのPrice List ６０５におけるPrice ７０２が1,000以下であるProgram Information５０１（必要ならさらに、Group Information５０２、及びProgram Location５０３）を検索し、検索結果を得る。
【００４８】
ステップ３０２では、検索結果からメタデータを選択する。メタデータ処理部２０２により処理されたメタデータの検索結果は、ユーザインタフェース部２０１に送られ、ユーザインタフェース部２０１は必要な情報をリスト化して、ユーザに提示する。図９はユーザに提示する検索結果画面の一例である。タイトル９０１は、検索可能領域６０１のTitle ６０３を用いて表示する。価格９０２は、検索可能領域６０１のPrice List ６０５におけるPrice ７０２を用いて表示する。条件９０３は、検索可能領域６０１のPrice List ６０５におけるAction ７０４を用いて表示する。ユーザは、検索結果画面から購入したいコンテンツの内容が示されたメタデータを選択することにより、購入の意思表示を行う。選択されたメタデータは、ユーザインタフェース部２０１からメタデータ処理部２０２に送られる。
【００４９】
ステップ３０３では、選択されたメタデータの認証処理を行う。メタデータ処理部２０２は、選択されたメタデータを認証処理部２０９に送り、認証処理部２０９は、送られたメタデータに示されている被認証情報６０８と、認証情報保持部２０８に保持されている事業者の認証情報とを用いてメタデータの認証処理を行う。認証処理部２０９は、一般的なデジタル署名検証の仕組みによって、メタデータを当該事業者が発行したものであるか否かを認証できる。すなわち、図６に示すメタデータを選択した場合、デジタル署名等が付与された被認証情報６０８を、認証情報保持部２０８が保持する事業者の認証情報に含まれる公開鍵によって復号し、メタデータのダイジェスト値と比較して、両者が一致すれば当該事業者によりメタデータが発行されたと見なすことができる。
【００５０】
ステップ３０４では、選択したメタデータの認証ができればステップ３０５に進み、一方、認証ができなければステップ３０２に戻る。認証処理部２０９で行った認証結果は、メタデータ処理部２０２に送られ、認証に成功した場合はステップ３０５に進む。一方、選択したメタデータの認証に失敗した場合は、メタデータ処理部２０２の処理により、ユーザインタフェース部２０１にその旨が提示される。この場合ユーザは、再度メタデータを選択するか、あるいは処理を終了してメタデータを再度検索する。
【００５１】
ステップ３０５では、選択したメタデータが認証できた場合にのみ、メタデータ処理部２０２は、選択されたメタデータに記載されているコンテンツの識別子６０２ならびに購入処理サーバ１０５のURL６０７を指定して、購入処理部２０５に対してコンテンツの購入処理を要求する。購入処理部２０５は、メタデータ処理部２０２からの要求に伴い、秘密情報管理部２１１が管理する、端末やユーザの識別子、ユーザのクレジットカード番号等、所定の秘密情報を読み出す。
【００５２】
ステップ３０６では、購入処理部２０５はコンテンツの購入処理を購入処理サーバ１０５に対して要求する。購入処理部２０５は、秘密情報管理部２１１から読み出した端末及びユーザの識別子、ユーザのクレジット番号等、決済に必要な情報と購入するコンテンツの識別子を添えて、URLによって指定された購入処理サーバ１０５に対して、コンテンツの購入処理を要求する。
【００５３】
購入処理サーバ１０５では、購入処理部２０５からの購入処理要求に応じて、以下の処理を行う。購入処理サーバ１０５は、コンテンツの識別子と価格情報を関連付けて保持しており、購入処理部２０５から指定されたコンテンツの価格情報を求める。購入処理サーバ１０５は、決済処理サーバ１０６に対して、このコンテンツの価格情報とユーザの識別子ならびにクレジットカード番号等とを送付する。決済処理サーバ１０６では、送付された価格情報とユーザの識別子ならびにクレジットカード番号等とを用いて決済処理を行う。その後、購入処理サーバ１０５は、決済処理サーバ１０６から決済結果の通知を受ける。これによりユーザ固有情報を持つユーザがコンテンツ識別子を持つコンテンツを購入できたことになり、購入処理サーバ１０５は、購入処理部２０５に対して購入処理の完了を通知する。
【００５４】
一方、購入処理サーバ１０５は、権利処理サーバ１０７に対して購入処理が完了したコンテンツの識別子及び端末の識別子を送付し、当該コンテンツの利用権を、当該端末に対して発行するよう要求する。この要求に従い権利処理サーバ１０７は、当該コンテンツの識別子及び端末の識別子と発行された利用権を関連付けて保持する。
【００５５】
購入処理の完了を通知された購入処理部２０５は、メタデータ処理部２０２にその旨を通知する。メタデータ処理部２０２は、購入処理を完了したコンテンツの識別子、タイトル、及び金額等の情報を、購入結果保持部２０４に登録する。
【００５６】
ステップ３０７では、メタデータ処理部２０２からの要求に応じて、購入されたコンテンツの利用権を権利処理部２０６が取得する。メタデータ処理部２０２は、選択されたメタデータに記載されているコンテンツの識別子を指定して、権利処理部２０６に対して、利用権の取得を要求する。権利処理部２０６は、この要求に応じて、権利処理サーバ１０７に対してコンテンツ識別子を指定し、利用権の取得を要求する。権利処理サーバ１０７では、接続してきた端末の識別子を参照し、一致したコンテンツ識別子及び端末の識別子に関連付けられている利用権を権利処理部２０６に対して送付する。
【００５７】
ステップ３０８では、メタデータ処理部２０２からの要求に応じて、コンテンツ処理部２０７は、ネットワーク１０１を通じてコンテンツサーバ１０３に接続し、選択されたメタデータに記載されているコンテンツ識別子を持つコンテンツを取得する。コンテンツサーバ１０３から取得するコンテンツは、暗号化されているので、コンテンツ処理部２０７は権利処理部２０６に対して利用権を要求する。コンテンツ処理部２０７は、ステップ３０７で取得した利用権に含まれる復号鍵を用いることにより暗号化が解除でき、これによりコンテンツ購入処理端末１０２でコンテンツが利用できる。
【００５８】
コンテンツの利用に当たっては、コンテンツを取得可能な時間の情報（例えば、図５に示すProgram Location ５０３に記載されている）を参照し、その時点でコンテンツが入手できるのであれば即座に、そうでなければコンテンツが入手できる時間になるのを待つ。また、コンテンツサーバ１０３で保持されているコンテンツの提供形態がストリーミングの場合は即座に行い、ダウンロードの場合はコンテンツをコンテンツ購入処理端末１０２上の蓄積装置（ハードディスク、リムーバブルメディア、メモリ等）に一旦格納する。さらに、コンテンツの購入に先立って放送もしくは通信で暗号化したままのコンテンツを蓄積装置上に格納しておき、利用権を入手した段階でコンテンツを復号して利用する形態としても良い。
【００５９】
以上のステップにより、ユーザが選択したコンテンツの購入処理、利用権の取得、及びコンテンツの取得が完了する。
【００６０】
以上、本実施例は、タイトル、ジャンル、キーワード、あるいは価格等の検索条件を元に検索した結果からメタデータをユーザが選択し、選択したメタデータが信頼できるかどうかについての認証を行い、メタデータの認証ができた場合に限り、端末及びユーザの固有情報を示す秘密情報を読み出し、この秘密情報を用いてコンテンツの購入処理を要求しているので、メタデータを選択した後は、自動的にコンテンツの購入処理を行い、コンテンツを取得することができる。これにより、コンテンツ販売事業者とコンテンツを購入しようとするユーザとの間で煩わしい対話処理をしなくてもコンテンツの購入処理を円滑に行うことができる。
【００６１】
さらに、コンテンツ購入処理端末にて保持している認証情報を安全に登録、更新、あるいは削除できるため、販売事業者の変更があった場合も柔軟に対応して認証処理できる。また、コンテンツを販売または管理する事業者側の秘密鍵が漏洩し、成りすましの恐れが発生した場合でも、コンテンツ購入処理端末側で認証情報の更新が容易にできるため、素早く対応して成りすましを防ぐことができる。
【００６２】
（実施の形態２）
以下、本発明の第２の実施の形態について説明する。上記実施の形態１では、ユーザによりメタデータが選択されると、規定の購入処理手順に従ってコンテンツの購入処理を行うようにしている。本実施の形態２では、コンテンツを販売または管理する事業者やコンテンツ毎にそれぞれ異なる購入処理手順が定義されており、ユーザによりメタデータが選択されると、メタデータの事業者固有領域に示された購入処理手順に従ってコンテンツの購入処理を行う態様について説明する。なお、図２に示すコンテンツ購入処理端末１０２内の各部の構成、認証情報保持部２０８で管理する認証情報の登録、更新、削除を行う処理、及びユーザがメタデータを検索し、検索結果からメタデータを選択して、選択されたメタデータを認証するまでの処理（図３における、ステップ３０４までの処理）等は、上記実施の形態１で説明した内容と同じなので重複する説明は省略する。
【００６３】
図１７を用いて、事業者やコンテンツ毎に定義された異なる購入処理手順を事業者固有領域に示したメタデータの構成例を説明する。図６に示すメタデータと同様、メタデータは、検索可能領域６０１、事業者固有領域６０６及び被認証情報６０８に分けられる。図１７に示すメタデータの事業者固有領域６０６には、購入処理サーバURL６０７の他に、事業者やコンテンツ毎にそれぞれ定義される購入処理手順１７０９を直接的または間接的に示す。
【００６４】
図３に示すコンテンツ購入処理フローのステップ３０５では、選択したメタデータが認証できた場合にのみ、メタデータ処理部２０２からの要求に伴い、購入処理部２０５は選択されたメタデータに記載されているコンテンツの識別子６０２ならびに購入処理サーバ１０５のURL６０７を指定する。また、秘密情報管理部２１１が管理する、端末やユーザの識別子、ユーザの銀行カード番号等、所定の秘密情報を読み出すようにしている。この時、購入処理部２０５が行う、秘密情報を読み出す処理は、選択したメタデータの事業者固有領域６０６に直接的または間接的に示される購入処理手順１７０９に従って処理される。
【００６５】
メタデータの事業者固有領域６０６に直接的に示される購入処理手順１７０９とは、事業者固有領域６０６に購入処理手順が示され、購入処理部２０５は、示されている購入処理手順に従って、秘密情報の読み出し、オブジェクトへの所定情報の格納、及び購入処理サーバ１０５への購入処理要求を行うようにする。
【００６６】
また、メタデータの事業者固有領域６０６に間接的に示される購入処理手順１７０９とは、事業者固有領域６０６に外部のアプリケーションプログラム（例えば、JAVA(登録商標)アプレット等）の参照先を示す。購入処理部２０５は、この参照先からアプリケーションプログラムを取得し、取得したプログラムに示された購入処理手順に従って、秘密情報の読み出し、オブジェクトへの所定情報の格納、及び購入処理サーバ１０５への購入処理要求を行うようにするものである。
【００６７】
購入処理手順１７０９の内容を説明する。図１０に、購入処理手順のスキーマ（データ構造）構成例を示す。Purchase Procedure Type １００１は、任意のXML形式のデータを格納できるオブジェクトである。本実施例は、Purchase Procedure Type １００１に、java Script、ECMA Script等のスクリプト記載言語を格納して、具体的な購入処理手順を記載することができる。
【００６８】
また、図１１に、特定の販売事業者によって定義された、購入処理手順のインスタンス（実際にデータを格納した形）構成例を示す。本構成例においてこの販売事業者は、コンテンツの販売に際して、利用者の氏名、住所及び、銀行カード番号を要求しているものとする。
【００６９】
図において、Purchase Procedure Type １００１には、ARIB STD-B24によって規定されるBML文書の一部を記載し、さらにそのBML文書は、ECMA Scriptによる記載を含む。購入処理部２０５は、購入処理サーバ１０５に対して購入処理を行う際に必要な情報を格納するオブジェクト（ここではupload Info）を生成して、購入しようとするコンテンツの識別子（ここでは、”crid://www.shop1.com/products/Load Of The Link 1"）を格納する（１１０１）。次に、購入処理部２０５は、秘密情報管理部２１１から、ユーザ固有情報１２０２に含まれるユーザ氏名、ユーザ住所、銀行カード番号を順次読み出して、オブジェクトに格納する（ここでは、upload Info . user Name, upload Info. user Address, upload Info. bank Card Noに値を設定する）（１１０２、１１０３、１１０４）。つづいて、購入処理部２０５は、秘密情報管理部２１１から端末固有情報１２０１を読み出してオブジェクトに格納する（ここでは、upload Info. terminal Infoに値を設定する）（１１０５）。最後に購入処理部２０５は、購入処理サーバ１０５のURL（ここでは、”https://www.shop1.com/purchase2.asp"）を指定し、これにより、購入処理手順に従って読み出された情報がオブジェクトに格納される。
【００７０】
図３に示すステップ３０６では、このオブジェクトを購入処理サーバ１０５に送ることで、コンテンツの購入処理を要求している。購入処理サーバ１０５は、コンテンツの識別子と価格情報を関連付けて保持しており、購入処理部２０５から指定されたコンテンツの価格情報を求める。購入処理サーバ１０５は、決済処理サーバ１０６に対して、このコンテンツの価格情報と、オブジェクトに記載されたユーザの識別子ならびに決済に用いる各種情報（ここでは、銀行カード番号）等とを送付する。決済処理サーバ１０６では、送付された価格情報とユーザの識別子ならびに決済に用いる各種情報（ここでは、銀行カード番号）等とを用いて決済処理を行う。その後、購入処理サーバ１０５は、決済処理サーバ１０６から決済結果の通知を受ける。これにより、ユーザ固有情報を持つユーザが、コンテンツ識別子を持つコンテンツを購入できたことになり、購入処理サーバ１０５は、購入処理部２０５に対して購入処理の完了を通知する。つづく、図３に示すステップ３０７及び３０８で行う処理は上記実施例１と同様である。
【００７１】
以上、本実施例は、コンテンツを販売または管理する事業者やコンテンツ毎にそれぞれ定義される購入処理手順をメタデータの事業者固有領域に直接的または間接的に示し、ユーザによりメタデータが選択されると、メタデータの事業者固有領域に示された購入処理手順に従い、秘密情報の読み出し、オブジェクトへの所定情報の格納、及びコンテンツの購入処理を要求するので、コンテンツを販売または管理する事業者やコンテンツによって、コンテンツの購入処理手順が異なっていても、柔軟に対応してコンテンツの購入処理ができる。
【産業上の利用可能性】
【００７２】
本発明にかかるコンテンツ配信システム、方法、端末、記録媒体ならびにプログラムは、メタデータを用いてデジタルコンテンツを広告宣伝し、ユーザが容易に購入できるようにする用途に最適である。また、デジタルコンテンツ以外の販売、例えばＴＶ番組関連グッズの販売等の用途にも応用できる。
【符号の説明】
【００７３】
１０１  ネットワーク
１０２  コンテンツ購入処理端末
１０３  コンテンツサーバ
１０４  メタデータサーバ
１０５  購入処理サーバ
１０６  決済処理サーバ
１０７  権利処理サーバ
１０８  放送局
２０１  ユーザインタフェース部
２０２  メタデータ処理部
２０３  メタデータ保持部
２０４  購入結果保持部
２０５  購入処理部
２０６  権利処理部
２０７  コンテンツ処理部
２０８  認証情報保持部
２０９  認証処理部
２１０  認証情報登録部
２１１  秘密情報管理部
【図１】
0005121986.tif 000002
【図２】
0005121986.tif 000003
【図３】
0005121986.tif 000004
【図４】
0005121986.tif 000005
【図５】
0005121986.tif 000006
【図６】
0005121986.tif 000007
【図７】
0005121986.tif 000008
【図８】
0005121986.tif 000009
【図９】
0005121986.tif 000010
【図１０】
0005121986.tif 000011
【図１１】
0005121986.tif 000012
【図１２】
0005121986.tif 000013
【図１３】
0005121986.tif 000014
【図１４】
0005121986.tif 000015
【図１５】
0005121986.tif 000016
【図１６】
0005121986.tif 000017
【図１７】
0005121986.tif 000018